【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
画像形成データ及び印刷処理情報を含む印刷データを受信して、前記印刷処理情報に基づいて前記画像形成データを印刷する画像形成装置において、
前記印刷処理情報の、印刷を一時的に許可する一時許可モードが設定されているか否かを示す運用モードの判定を行うデータ解析部と、
前記印刷処理情報の内容に対応して設定される印刷制限の有無を格納する印刷制限情報格納部と、
前記印刷制限の有無、及び前記運用モードの内容に基づいて、前記画像形成データを印刷するか否かを判定する印刷制限判定部と、
前記印刷制限判定部の判定に基づいて前記画像形成データの印刷を行う画像形成処理部と
を有し、
前記印刷制限判定部は、前記印刷制限が設定されている場合であっても、前記一時許可モードが設定されている場合には前記画像形成データの印刷を行うよう判定することを特徴とする画像形成装置。
【請求項２】
画像形成データ及び印刷処理情報を含む印刷データを受信して、前記印刷処理情報に基づいて前記画像形成データを印刷する画像形成装置において、
前記印刷処理情報の、送信ユーザの判定と、印刷を一時的に許可する一時許可モードが設定されているか否かを示す運用モードの判定とを行うデータ解析部と、
個々のユーザに対して設定される印刷制限の有無を、前記個々のユーザに対応して格納する印刷制限情報格納部と、
前記データ解析部で判定された前記送信ユーザに対する前記印刷制限の有無、及び前記運用モードの内容に基づいて、前記画像形成データを印刷するか否かを判定する印刷制限判定部と、
前記印刷制限判定部の判定に基づいて前記画像形成データの印刷を行う画像形成処理部と
を有し、
前記印刷制限判定部は、前記データ解析部で判定された前記送信ユーザに対して前記印刷制限が設定されている場合であっても、前記一時許可モードが設定されている場合には前記画像形成データの印刷を行うよう判定することを特徴とする画像形成装置。
【請求項３】
前記印刷制限判定部は、更に前記一時許可モードで印刷する印刷回数をカウントし、該印刷回数が所定の回数に達した段階で、前記画像形成データを印刷しないように判定することを特徴とする請求項１又は２記載の画像形成装置。
【請求項４】
前記データ解析部は、更に前記画像形成データのドキュメント名を判定し、前記印刷制限情報格納部は、更に前記ドキュメント名を必要に応じて一時格納し、前記印刷制限判定部は、前記一時許可モードでドキュメント名が同じ画像形成データを印刷する場合、前記カウントを一時停止することを特徴とする請求項３記載の画像形成装置。
【請求項５】
前記データ解析部は、更に前記画像形成データの印刷指示に係る印刷指示時刻を判定し、前記印刷制限情報格納部は、更に所定の制限時間情報を格納すると共に前記印刷指示時刻を必要に応じて一時格納し、前記印刷制限判定部は、前記一時許可モードで、先行して印刷した画像形成データの印刷時刻から、前記所定の制限時間を越える印刷時刻の画像形成データを印刷しないように判定することを特徴とする請求項１又は２記載の画像形成装置。
【請求項６】
前記印刷制限判定部において、印刷を行わないと判定された場合に、印刷しないことをユーザに知らせる通知手段を更に備えたことを特徴とする請求項１乃至５の何れかに記載の画像形成装置。
【請求項７】
前記請求項１乃至６の何れかの画像形成装置と、該画像形成装置にネットワークを介して前記印刷データを送信するクライアントとを有する画像形成システムであって、
前記クライアントが、
前記画像形成データを生成するアプリケーションと、
前記画像形成データの印刷を指示する前記送信ユーザを特定するユーザ特定部と、
印刷を一時的に許可する一時許可モードが設定されているか否かを示す前記運用モードを特定する運用モード特定部と、
前記画像形成データに、前記送信ユーザ及び前記運用モードを含む前記印刷処理情報を加えて前記画像形成装置が解釈できる前記印刷データに変換して送信する画像形成データ生成部と
を有することを特徴とする画像形成システム。
【請求項８】
前記クライアントは、更に前記画像形成データの前記ドキュメント名を特定するドキュメント名特定部を有し、前記画像形成データ生成部は、前記印刷処理情報に前記ドキュメント名を含めることを特徴とする請求項７記載の画像形成システム。
【請求項９】
前記クライアントは、更に前記アプリケーションから印刷指示が出された前記印刷指示時刻を特定する時刻特定部を有し、前記画像形成データ生成部は、前記印刷処理情報に前記印刷指示時刻を含めることを特徴とする請求項７記載の画像形成システム。
【請求項１０】
画像形成データを生成するアプリケーションと、
前記画像形成データの印刷を指示する送信ユーザを特定するユーザ特定部と、
印刷を一時的に許可する一時許可モードが設定されているか否かを示す運用モードを特定する運用モード特定部と、
前記送信ユーザの判定と前記運用モードの判定を行うデータ解析部と、
個々のユーザに対して設定される印刷制限の有無を、前記個々のユーザに対応して格納する印刷制限情報格納部と、
前記データ解析部で判定された前記送信ユーザに対する前記印刷制限の有無、及び前記運用モードの内容に基づいて、前記画像形成データを出力するか否かを判定する印刷制限判定部と、
前記印刷制限判定部の判定に基づいて前記画像形成データを出力する画像形成データ出力部と
を有し、
前記印刷制限判定部は、前記データ解析部で判定された前記送信ユーザに対して前記印刷制限が設定されている場合であっても、前記一時許可モードが設定されている場合には前記画像形成データを出力するよう判定することを特徴とする情報処理装置。
【手続補正２】
【補正対象書類名】明細書
【補正対象項目名】０００６
【補正方法】変更
【補正の内容】
【０００６】
本発明の画像形成装置は、画像形成データ及び印刷処理情報を含む印刷データを受信して、前記印刷処理情報に基づいて前記画像形成データを印刷する画像形成装置において、
前記印刷処理情報の、印刷を一時的に許可する一時許可モードが設定されているか否かを示す運用モードの判定を行うデータ解析部と、前記印刷処理情報の内容に対応して設定される印刷制限の有無を格納する印刷制限情報格納部と、前記印刷制限の有無、及び前記運用モードの内容に基づいて、前記画像形成データを印刷するか否かを判定する印刷制限判定部と、前記印刷制限判定部の判定に基づいて前記画像形成データの印刷を行う画像形成処理部とを有し、
前記印刷制限判定部は、前記印刷制限が設定されている場合であっても、前記一時許可モードが設定されている場合には前記画像形成データの印刷を行うよう判定することを特徴とする。
本発明の別の画像形成装置は、画像形成データ及び印刷処理情報を含む印刷データを受信して、前記印刷処理情報に基づいて前記画像形成データを印刷する画像形成装置において、
前記印刷処理情報の、送信ユーザの判定と、印刷を一時的に許可する一時許可モードが設定されているか否かを示す運用モードの判定とを行うデータ解析部と、個々のユーザに対して設定される印刷制限の有無を、前記個々のユーザに対応して格納する印刷制限情報格納部と、前記データ解析部で判定された前記送信ユーザに対する前記印刷制限の有無、及び前記運用モードの内容に基づいて、前記画像形成データを印刷するか否かを判定する印刷制限判定部と、前記印刷制限判定部の判定に基づいて前記画像形成データの印刷を行う画像形成処理部とを有し、
前記印刷制限判定部は、前記データ解析部で判定された前記送信ユーザに対して前記印刷制限が設定されている場合であっても、前記一時許可モードが設定されている場合には前記画像形成データの印刷を行うよう判定することを特徴とする。
【手続補正３】
【補正対象書類名】明細書
【補正対象項目名】００８６
【補正方法】変更
【補正の内容】
【００８６】
実施の形態５．
図２０は、本発明による情報処理装置の実施の形態５の構成例を示すブロック図である。